(57)【特許請求の範囲】
【請求項１】
積み木本体を含む磁気接続積み木において、
磁性体固定スリーブと磁性体を更に含み、
前記積み木本体には、上端が開口するブッシングが設けられており、
前記磁性体固定スリーブは、前記ブッシング内に固定され、
前記磁性体固定スリーブの上、下両側に、前記ブッシングの外側に位置すると共に上端が閉塞し側面に開口する挿入溝と、前記ブッシングの内側に位置する係合溝がそれぞれ設けられ、
前記磁性体は、前記挿入溝に設けられて前記挿入溝に整合する１号磁性体と、前記係合溝に設けられて前記係合溝に整合する２号磁性体とを含み、
前記１号磁性体と前記２号磁性体は、前記磁性体固定スリーブに密封されて接続され、極性方向が同じであることを特徴とする、
磁気接続積み木。
【請求項２】
前記磁性体固定スリーブは、中空の筒形状構造であることを特徴とする、
請求項１に記載の磁気接続積み木。
【請求項３】
前記挿入溝は、断面がＣ字形構造をなし、
前記係合溝は、側面が閉塞し下端に開口し、断面が逆Ｕ字形構造をなすことを特徴とする、
請求項１に記載の磁気接続積み木。
【請求項４】
前記１号磁性体は、前記挿入溝内に水平に挿入され、
前記２号磁性体は、前記係合溝に下から縦に係止され、
前記１号磁性体と前記２号磁性体は、前記磁性体固定スリーブに超音波により密封されることを特徴とする、
請求項１に記載の磁気接続積み木。
【請求項５】
前記１号磁性体は、上側がＮ極であり、
前記２号磁性体は、下側がＳ極であることを特徴とする、
請求項１に記載の磁気接続積み木。
【請求項６】
前記磁性体は、磁石であることを特徴とする、
請求項１に記載の磁気接続積み木。
【請求項７】
前記磁性体は、永久磁石であることを特徴とする、
請求項６に記載の磁気接続積み木。
【発明の詳細な説明】
【技術分野】
【０００１】
本発明は、玩具の技術分野に関し、特に磁気接続積み木に関する。
【背景技術】
【０００２】
積み木は、幼児がよく遊ぶ玩具の一つであり、異なる組立方式で様々な組立体を形成することができるため、子供を引き付ける楽しさを有すると共に、児童の脳活動を活発にさせ、児童の知力や物を巧みに扱う力を促進させる。
【０００３】
伝統的な積み木において、積み木同士は、主に整合する溝とバンプにより接続される。取り付けが正しくなくても、力を込めて接続することもできるが、この場合、幼児への啓発作用が劣る。また、組立後の積み木同士が完全に固定されるため、積み木の多様な組み合わせが限定されるだけではなく、児童が組立後の組立体に一部の動作をさせることができず、組立体の可動性が低い。
【０００４】
解決方法として磁気積み木を提供できる。従来の磁気積み木において、磁性体が、積み木に直接押し込まれるか、単にのりで積み木に固定されるため、磁性体そのものが積み木の表面に露出し、磁石が落ちやすい問題が存在する。いったん落ちて、幼児に飲み込まれると非常に危険である。また、当該構造では、積み木が確実に接続されず、啓発作用が比較的劣る。
【０００５】
以上の不備は、解決に値する。
【発明の概要】
【発明が解決しようとする課題】
【０００６】
本発明は、従来技術の不備を克服するために、磁気接続積み木を提供する。
【課題を解決するための手段】
【０００７】
本発明の技術態様は、以下を含む。
【０００８】
積み木本体を含む磁気接続積み木において、
磁性体固定スリーブと磁性体を更に含み、
前記積み木本体には、上端が開口するブッシングが設けられており、
前記磁性体固定スリーブは、前記ブッシング内に固定され、
前記磁性体固定スリーブの上、下両側に、前記ブッシングの外側に位置すると共に上端が閉塞し側面に開口する挿入溝と、前記ブッシングの内側に位置する係合溝がそれぞれ設けられ、
前記磁性体は、前記挿入溝に設けられて前記挿入溝に整合する１号磁性体と、前記係合溝に設けられて前記係合溝に整合する２号磁性体と、を含み、
前記１号磁性体と前記２号磁性体は、前記磁性体固定スリーブに密封されて接続され、極性方向が同じである。
【０００９】
更に、前記磁性体固定スリーブは、中空の筒形状構造である。
【００１０】
更に、前記挿入溝は、断面がＣ字形構造をなし、
前記係合溝は、側面が閉塞し下端に開口し、断面が逆Ｕ字形構造をなす。
【００１１】
更に、前記１号磁性体は、前記挿入溝内に水平に挿入され、
前記２号磁性体は、前記係合溝に下から縦に係止され、
前記１号磁性体と前記２号磁性体は、前記磁性体固定スリーブに超音波により密封される。
【００１２】
更に、前記１号磁性体は、上側がＮ極であり、
前記２号磁性体は、下側がＳ極である。
【００１３】
更に、前記磁性体は、磁石である。
【００１４】
更に、前記磁性体は、永久磁石である。
【発明の効果】
【００１５】
上記構造の本発明により、以下の利点を有する。本発明において、２つの磁性体は、適切な位置に確実に位置決めされ、独自の設計である上下磁石載置台によりそれぞれ固定される。磁性体は、位置決めされた後に超音波で密封されるため、より確実に取り付けられる。幼児が磁性体を見ることも触ることもできず、脱落しにくく、遊ぶときや使用時の安全性が向上する。
【００１６】
上下両側の２つの磁性体の相互作用により、磁性体自動案内系を形成する。磁性体自動案内系は、積み木の積み立てる順番を幼児に気づかせる。方向が正しければ、幼児が容易に積み木を積み立てることができるが、方向を間違えて同極の積み木を積み立てると、上下２つの積み木が反発し合うことで、幼児に気づかせる役割を果たすこともできる。
【００１７】
各市場でのほかの積み木は、いずれも位置合わせをしてから初めて接続できる。本発明の独特な外観設計である積み木本体と、磁石スリーブとの組み合わせにより、積み木同士が密着する一方、容易に積み立てることができる。磁性体の相互吸引機能により、１歳以下の幼児でも積み木の楽しさを堪能することができる。積み木全体の使用対象が六ヶ月前後の幼児まで広くなり、啓発効果に優れる。
【００１８】
積み木は、それ自体が軽量であり、確実に接続され、幼児の手での持ち心地が増す。
【図面の簡単な説明】
【００１９】
【図１】本発明の構造模式図である。
【図２】本発明の構造分解図である。
【図３】本発明の積み木本体の構造模式図である。
【図４】本発明の磁性体固定スリーブの構造模式図である。
【発明を実施するための形態】
【００２０】
以下、図面及び実施形態と共に本発明を更に説明する。
【００２１】
図１〜２に示すように、磁気接続積み木は、積み木本体１０と、磁性体固定スリーブ２０と、磁性体を含む。積み木本体１０には、上端が開口するブッシング１１が設けられる。磁性体固定スリーブ２０は、ブッシング１１に嵌め込まれて超音波で溶接される。磁性体固定スリーブ２０の上面が積み木本体１０より低いことが好ましく、幼児が積み木を容易に積み立てることに寄与し、磁石の相互吸引もこれによって発揮される。
【００２２】
磁性体固定スリーブ２０の両端には、磁石の載置台が設けられる。即ち、磁性体固定スリーブ２０の上、下両側には、挿入溝２１と、係合溝２２がそれぞれ設けられる。挿入溝２１は、ブッシング１１の外側に位置する。係合溝２２は、ブッシング１１の内側に位置する。挿入溝２１は、上端が閉塞し側面に開口する。挿入溝２１は、Ｃ字形構造をなす。係合溝２２は、側面が閉塞し下方に開口し、逆Ｕ字形構造をなす。
【００２３】
磁性体は、挿入溝２１に設けられる１号磁性体３１と、係合溝２２に設けられる２号磁性体３２とを含む。１号磁性体３１と２号磁性体３２は、極性方向が同じである。全ての磁石が正しい位置及び方向にあることが保証され、積み木自体の機能、使用時の効果、及び生産時の品質制御などに寄与する。
【００２４】
本実施例において、１号磁性体３１は、上側がＮ極であり、２号磁性体３２は、下側がＳ極である。本積み木全体に２層目の積み木を重ね合わせる場合、下層の１号磁性体３１と上層の２号磁性体３２は、互いに吸引し、幼児が容易に積み木を積み立てることができる。幼児が積み立て方向を逆にした場合、その旨を幼児に気づかせ、すぐに積み立て直させることができる。本発明において、上下２層の積み木における独特な磁石自動案内系を使用したので、他の積み木に比較し、本発明は、より幼児向けのものとなる。
【００２５】
挿入溝２１内の底面には、１号磁性体３１をより確実に挿入溝２１内に固定させる係合部位２３が設けられる。
【００２６】
磁性体固定スリーブ２０は、中空の筒形状構造であり、当該筒形状構造の片側が開口し、使用される原材料を減少させると共に、積み木全体の重量を減少させる。
【００２７】
１号磁性体３１は、挿入溝内に水平に挿入され、２号磁性体３２は、係合溝に下から縦に係止される。１号磁性体３１と２号磁性体３２とは、磁性体固定スリーブ２０に超音波により密封される。
【００２８】
磁性体は、磁石であることが好ましい。磁性体は、永久磁石又は非永久磁石である。
【００２９】
本実施例において、積み木全体は、ＡＢＳプラスチック樹脂で射出成形される。
【００３０】
なお、当業者は、上記説明に基づいて改良や変更を加えることができるが、これら全ての改良や変更は、本発明の添付された特許請求の範囲の保護範囲に含まれるべきである。
【００３１】
以上、図面と共に本発明を例示的に記載したが、本発明の実現は、上記方式に限定されないことは明らかである。本発明の思想と技術態様を用いた改良や、改良せずに本発明の思想や技術態様をそのまま他の場合に応用したものでも、本発明の保護範囲に含まれる。
【００３２】
［付記］
［付記１］
積み木本体を含む磁気接続積み木において、
磁性体固定スリーブと磁性体を更に含み、
前記積み木本体には、上端が開口するブッシングが設けられており、
前記磁性体固定スリーブは、前記ブッシング内に固定され、
前記磁性体固定スリーブの上、下両側に、前記ブッシングの外側に位置すると共に上端が閉塞し側面に開口する挿入溝と、前記ブッシングの内側に位置する係合溝がそれぞれ設けられ、
前記磁性体は、前記挿入溝に設けられて前記挿入溝に整合する１号磁性体と、前記係合溝に設けられて前記係合溝に整合する２号磁性体とを含み、
前記１号磁性体と前記２号磁性体は、前記磁性体固定スリーブに密封されて接続され、極性方向が同じであることを特徴とする、
磁気接続積み木。
【００３３】
［付記２］
前記磁性体固定スリーブは、中空の筒形状構造であることを特徴とする、
付記１に記載の磁気接続積み木。
【００３４】
［付記３］
前記挿入溝は、断面がＣ字形構造をなし、
前記係合溝は、側面が閉塞し下端に開口し、断面が逆Ｕ字形構造をなすことを特徴とする、
付記１に記載の磁気接続積み木。
【００３５】
［付記４］
前記１号磁性体は、前記挿入溝内に水平に挿入され、
前記２号磁性体は、前記係合溝に下から縦に係止され、
前記１号磁性体と前記２号磁性体は、前記磁性体固定スリーブに超音波により密封されることを特徴とする、
付記１に記載の磁気接続積み木。
【００３６】
［付記５］
前記１号磁性体は、上側がＮ極であり、
前記２号磁性体は、下側がＳ極であることを特徴とする、
付記１に記載の磁気接続積み木。
【００３７】
［付記６］
前記磁性体は、磁石であることを特徴とする、
付記１に記載の磁気接続積み木。
【００３８】
［付記７］
前記磁性体は、永久磁石であることを特徴とする、
付記６に記載の磁気接続積み木。
【符号の説明】
【００３９】
１０  積み木本体、１１  ブッシング、２０  磁性体固定スリーブ、２１  挿入溝、２２  係合溝、２３  係合位置、３１  １号磁性体、３２  ２号磁性体
【図１】
0006348236.tif 000002
【図２】
0006348236.tif 000003
【図３】
0006348236.tif 000004
【図４】
0006348236.tif 000005